(57)【要約】【課題】所定の排出条件の成立に基づき、所要数の遊技球を遊技者に排出する排出ユニットを備えた遊技機において、排出ユニットの取り外しを容易にする。【解決手段】排出ユニット１９０を取り外す際に、流下制御部材２１０を流下許容状態から流下阻止状態へ変換すると、その変換動作に関連して誘導流路装置１９６が上方へ移動して、該排出ユニット１９０と誘導流路装置１９６の連結部に間隙を形成するようにする。これにより、排出ユニット１９０を取り外す際に、上方の遊技球から圧力が加わることなくなり、また、排出ユニット１９０に残っている遊技球が上部の部材に接触することもないので、容易に取り外すことが可能となる。【選択図】図１０
2008093018.tif 000002
【特許請求の範囲】
【請求項１】
所定の排出条件の成立に基づき、所要数の遊技球を遊技者に排出する排出ユニットを備えた遊技機において、
前記排出ユニットの上流側に、排出前の遊技球を該排出ユニットに誘導する誘導流路装置を配設し、
前記誘導流路装置は、外部操作に基づいて、前記誘導流路装置の流路下端部において遊技球の流下を阻止する流下阻止状態と遊技球の流下を許容する流下許容状態とに変換可能な流下制御部材を備えるとともに、上方に移動可能に構成され、
前記排出ユニットを取り外す際に、前記誘導流路装置の流下制御部材を前記流下許容状態から流下阻止状態へ変換すると、その変換動作に関連して前記誘導流路装置が上方へ移動して、該排出ユニットと誘導流路装置との間に間隙が形成されるように構成したことを特徴とする遊技機。
【請求項２】
前記誘導流路装置の取付部に前記流下制御部材と当接可能に構成され、当該流下制御部材の前記流下阻止状態への変換動作に応じて、該流下制御部材を上方に移動するようにガイドするガイド部材を備え、
前記ガイド部材による流下制御部材に対するガイドにより前記誘導流路装置の上方への移動が補助されることを特徴とする請求項１に記載の遊技機。
【請求項３】
前記流下制御部材に係止部材を備えるとともに、前記誘導流路装置の取付部に前記流下許容状態における流下制御部材の係止部材が係合可能な係止受け部材を備え、
前記係止部材の前記係止受け部材への係合により、前記誘導流路装置の上方への移動が規制されるように構成したことを特徴とする請求項１又は請求項２に記載の遊技機。
【請求項４】
前記排出ユニットは移動規制部を前記誘導流路装置方向に突設し、
前記流下制御部材が流下許容状態に変換されると、前記移動規制部が該流下制御部材に当接して、前記排出ユニットの取り外し方向への移動が規制されるように構成したことを特徴とする請求項１から請求項３の何れか一項に記載の遊技機。
【請求項５】
遊技領域が形成される遊技盤と、該遊技盤を着脱可能に装着する前面枠と、を備え、
前記前面枠には、表示ゲームを表示する画像表示装置を前記遊技盤の後方位置に配設するための裏機構枠を設け、
前記裏機構枠は、前記誘導流路装置および排出ユニットを、前記画像表示装置の後方側で当該画像表示装置と当該遊技機の前後方向に重合する位置に配設するようにしたことを特徴とする請求項１から請求項４の何れか一項に記載の遊技機。
【発明の詳細な説明】
【技術分野】
【０００１】
本発明は、所定の排出条件の成立に基づき、所要数の遊技球を遊技者に排出する排出ユニットを備えた遊技機に関する。
【背景技術】
【０００２】
従来、遊技機の裏面には裏機構として、遊技球貯留タンクや誘導流路、排出ユニットなどが備えられている。島設備から供給された遊技球は、貯留タンクで貯留され、貯留タンク内の遊技球は誘導流路を流下しながら整列されて排出ユニットに誘導されるようになっている。排出ユニットは、排出センサやスプロケット等の排出機構を備えて、誘導流路から流下した遊技球を１個宛排出可能に構成されている。そして、賞球排出条件や貸し球排出条件の成立により、所要数の遊技球を遊技者に排出するように構成されている。
【０００３】
また、排出ユニットは、故障時の交換や、点検作業等を行いやすくするために、裏機構の取り付けベースから着脱自在に構成されている。そして、排出ユニットが取り外されると、その上流の誘導流路内の遊技球は、排出ユニットが取り外されて流下規制が無くなることから下方に落下してしまうこととなるが、従来は、排出ユニットを取り外す際には、誘導流路内の流下を阻止するストッパを備えて、遊技球の落下を防止するようになっている（例えば、特許文献１参照）。
【特許文献１】特開平５−９６０５１号公報
【発明の開示】
【発明が解決しようとする課題】
【０００４】
しかしながら、排出ユニット内の遊技球には、上方の遊技球からの圧力が加わっているので、この圧力が加わった状態のまま排出ユニットを取り外すのは非常に困難である。
また、排出ユニットを取り外す場合には、排出ユニット内に残っている遊技球が、流路の上流端部よりも外側に突出して残ることが多く、この突出した遊技球が、排出ユニットを取り外す際に、上方の誘導流路を構成するどこかの部材に接触する場合も多く、その接触により容易に排出ユニットを取り外すことができないことも多い。
【０００５】
本発明の目的は、所定の排出条件の成立に基づき、所要数の遊技球を遊技者に排出する排出ユニットを備えた遊技機において、排出ユニットの取り外しを容易にすることである。
【課題を解決するための手段】
【０００６】
以上の課題を解決するため、請求項１に記載の発明は、所定の排出条件の成立に基づき、所要数の遊技球を遊技者に排出する排出ユニットを備えた遊技機において、
前記排出ユニットの上流側に、排出前の遊技球を該排出ユニットに誘導する誘導流路装置を配設し、
前記誘導流路装置は、外部操作に基づいて、前記誘導流路装置の流路下端部において遊技球の流下を阻止する流下阻止状態と遊技球の流下を許容する流下許容状態とに変換可能な流下制御部材を備えるとともに、上方に移動可能に構成され、
前記排出ユニットを取り外す際に、前記誘導流路装置の流下制御部材を前記流下許容状態から流下阻止状態へ変換すると、その変換動作に関連して前記誘導流路装置が上方へ移動して、該排出ユニットと誘導流路装置との間に間隙が形成されるように構成したことを特徴とする。
【０００７】
ここで、「変換動作に関連して」とは、変換動作を行えばその力だけで誘導流路装置が上方に移動する、すなわち変換動作に応じて上方に移動するものと、誘導流路装置を上方に移動させるためには外部操作（誘導流路装置を手で持ち上げる動作）が必要であるが変換動作がその上方への移動の補助を行うものとの両方を含む。
【０００８】
請求項１に記載の発明によれば、排出ユニットを取り外す際に、流下制御部材を流下許容状態から流下阻止状態へ変換すると、その変換動作に関連して誘導流路装置が上方へ移動して、該排出ユニットと誘導流路装置の連結部に間隙を形成するようにしたので、排出ユニットを容易に取り外すことができる。すなわち、排出ユニットを取り外す際に、上方の遊技球から圧力が加わることなくなり、また、排出ユニットに残っている遊技球が上部の部材に接触することもないので、容易に取り外すことが可能となる。
特に、流下制御部材を流下阻止状態へ変換する変換動作に応じて（自動的に）誘導流路装置が上方へ移動するように構成すれば、流下制御部材を流下阻止状態へ変換するだけで、上記のように排出ユニットを容易に取り外せるように誘導流路装置と排出ユニットの間の間隙を形成することが可能となり、排出ユニットの取り外し作業の効率が向上する。
【０００９】
また、排出ユニットを取り外す際に、流下制御部材を流下許容状態から流下阻止状態へ変換すると、その変換動作により誘導流路装置の上方への移動が補助されて、（同時に手で押し上げることで）該誘導流路装置の上方への移動により該排出ユニットと誘導流路装置の連結部に間隙を形成するような構成としても、上述と同様に排出ユニットを容易に取り外すことができる。すなわち、排出ユニットを取り外す際に、上方の遊技球から圧力が加わることなくなり、また、排出ユニットに残っている遊技球が上部の部材に接触することもないので、容易に取り外すことが可能となる。
特に、流下制御部材を流下阻止状態へ変換する動作により誘導流路装置の上方への移動が補助される構成とすれば、上記のように排出ユニットを容易に取り外すための誘導流路装置と排出ユニットの間の間隙を容易に形成することが可能となる。
また、流下制御部材を流下阻止状態へ変換する変換動作に応じて誘導流路装置が上方へ移動する構成と比べて、誘導流路装置を上方へ移動させる部分にかかる負担が少なく、構成を簡略化できる。
【００１０】
請求項２に記載の発明は、請求項１に記載の遊技機であって、前記誘導流路装置の取付部に前記流下制御部材と当接可能に構成され、当該流下制御部材の前記流下阻止状態への変換動作に応じて、該流下制御部材を上方に移動するようにガイドするガイド部材を備え、
前記ガイド部材による流下制御部材に対するガイドにより前記誘導流路装置の上方への移動が補助されることを特徴とする。
【００１１】
請求項２に記載の発明によれば、誘導流路装置の取付部に流下制御部材と当接可能なガイド部材を備え、ガイド部材による流下制御部材に対するガイドにより誘導流路装置の上方への移動が補助されるので、流下制御部材を流下阻止状態へ変換すれば、確実に誘導流路装置を上方に移動するとこが可能となる。
【００１２】
請求項３に記載の発明は、請求項１又は請求項２に記載の遊技機であって、前記流下制御部材に係止部材を備えるとともに、前記誘導流路装置の取付部に前記流下許容状態における流下制御部材の係止部材が係合可能な係止受け部材を備え、
前記係止部材の前記係止受け部材への係合により、前記誘導流路装置の上方への移動が規制されるように構成したことを特徴とする。
【００１３】
請求項３に記載の発明によれば、流下制御部材に係止部材を備えるとともに、誘導流路装置の取付部に流下許容状態における流下制御部材の係止部材が係合可能な係止受け部材を備え、係止部材の係止受け部材への係合により、誘導流路装置の上方への移動が規制されるように構成したので、排出ユニットを取り付けた状態において誘導流路装置が上方へ移動してしまうことを防ぎ、流路内での球詰まりや、排出ユニットの脱落等を防止できる。
【００１４】
請求項４に記載の発明は、請求項１から請求項３の何れか一項に記載の遊技機であって、前記排出ユニットは移動規制部を前記誘導流路装置方向に突設し、
前記流下制御部材が流下許容状態に変換されると、前記移動規制部が該流下制御部材に当接して、前記排出ユニットの取り外し方向への移動が規制されるように構成したことを特徴とする。
【００１５】
請求項４に記載の発明によれば、排出ユニットは移動規制部を誘導流路装置方向に突設し、流下制御部材が流下許容状態に変換されると、移動規制部が該流下制御部材に当接して、排出ユニットの取り外し方向への移動を規制するようにしたので、流下制御部材を流下許容状態、すなわち、遊技機の稼働状態に変換すると、排出ユニットの移動が規制されて正常位置に固定されるようになるので、例えば、流路の接続部の接続不良等を防止することができる。
【００１６】
請求項５に記載の発明は、請求項１から請求項４の何れか一項に記載の遊技機であって、遊技領域が形成される遊技盤と、該遊技盤を着脱可能に装着する前面枠と、を備え、
前記前面枠には、表示ゲームを表示する画像表示装置を前記遊技盤の後方位置に配設するための裏機構枠を設け、
前記裏機構枠は、前記誘導流路装置および排出ユニットを、前記画像表示装置の後方側で当該画像表示装置と当該遊技機の前後方向に重合する位置に配設するようにしたことを特徴とする。
【００１７】
請求項５に記載の発明によれば、遊技領域が形成される遊技盤と、該遊技盤を着脱可能に装着する前面枠と、を備え、前面枠には、表示ゲームを表示する画像表示装置を遊技盤の後方位置に配設するための裏機構枠を設け、裏機構枠は、誘導流路装置および排出ユニットを、画像表示装置の後方側で当該画像表示装置と当該遊技機の前後方向に重合する位置に配設するようにしたので、誘導流路装置および排出ユニットが画像表示装置の後方側に配置されるので、画像表示装置が大型化しても、誘導流路装置および排出ユニットが画像表示装置と干渉することを避け、何ら問題なく遊技機の裏面に配設することができる。
【発明の効果】
【００１８】
本発明によれば、排出ユニットを取り外す際に、流下制御部材を流下許容状態から流下阻止状態へ変換すると、その変換動作に関連して誘導流路装置が上方へ移動して、該排出ユニットと誘導流路装置の連結部に間隙を形成するようにしたので、排出ユニットを容易に取り外すことができる。すなわち、排出ユニットを取り外す際に、上方の遊技球から圧力が加わることなくなり、また、排出ユニットに残っている遊技球が上部の部材に接触することもないので、容易に取り外すことが可能となる。
【発明を実施するための最良の形態】
【００１９】
以下、この発明の実施形態について図面を参照して説明する。
ここでは、本発明にかかる遊技機の適例としてのパチンコ遊技機について図１から図１５を用いて説明を行う。
【００２０】
図１から４に示すように、本実施形態の遊技機１００は、矩形枠状に構成された機枠１１０を備え、機枠１１０の前面側には、該機枠１１０に対して前方向へ扉状に回動可能に矩形枠状の前面枠１２０が軸着されている。なお、矩形枠状の機枠１１０は、裏面側から見て左側の一辺が金属製とされ、その他の辺は木製となっている。これによって、裏面側から見て左側の一辺においては、強度を保ったまま厚みを薄くでき、後述するように大型の表示ユニット１７０を備える裏機構枠１６０の配設を可能としている。
【００２１】
前面枠１２０は、当該前面枠１２０に備えられる各種部材等の取付用のベースとなる前面枠本体１３０と、当該前面枠本体１３０に対して、その前面側に回動可能に軸支されたクリア部材保持枠１４０と、前面枠本体１３０の前面のクリア部材保持枠１４０の下側に取り付けられた発射操作ユニット１５０と、前面枠本体１３０の裏面側に回動可能に軸支され、表示ユニット１７０を備える裏機構枠１６０とを有する。
【００２２】
前面枠本体１３０は、矩形枠状の機枠１１０の前面側をちょうど覆うような概略矩形板状に構成されるとともに、その中央から上端部に渡る部分に後述する遊技盤１を嵌め込んで収容するための方形状の開口部１３１が形成されている。そして、前面枠本体１３０に収容された遊技盤１の前面が前面枠本体１３０の開口部１３１から前側に臨むようになっている。すなわち遊技盤１は、前面枠本体１３０に嵌め込まれることで前面枠１２０に取り付けられている。
【００２３】
また、前面枠本体１３０の遊技盤１が嵌め込まれた開口部１３１、すなわち、前面枠本体１３０の中央より少し下側から上端部にわたる部分には、図１に示すように、前面枠本体１３０の前側を覆うようにクリア部材保持枠１４０が配置されており、遊技盤１の前面とクリア部材保持枠１４０に嵌め込まれたクリア部材としてのガラス板１４１との間で、遊技盤１の前面に設けられた遊技領域区画壁９に囲まれた部分が、遊技球が発射されて流下する第１遊技領域１ａとされている。
【００２４】
また、クリア部材保持枠１４０の一方の側部（遊技機１００の前面側から見て左側の側部）は、前面枠本体１３０の一方の側部に回動可能に軸支されて、扉状に開閉自在とされ、クリア部材保持枠１４０を開くことにより、遊技盤１の前面側の第１遊技領域１ａの前側を開放可能となっている。クリア部材保持枠１４０には、前面枠本体１３０の開口部１３１をほぼ閉塞するように、該開口部１３１に嵌め込まれた遊技盤１との間に遊技球が流下可能な第１遊技領域１ａとなる間隔を開けて二重のガラス板１４１が固定されている。そして、クリア部材保持枠１４０において、遊技機１００の前側からガラス板１４１を介して遊技盤１の前面側の少なくとも第１遊技領域１ａの部分が視認可能となっている。また、クリア部材保持枠１４０の前面であって、ガラス板１４１が固定されて第１遊技領域１ａを視認可能とする部分の周囲には、枠装飾装置としてのランプやＬＥＤ、音声を出力するスピーカ５８，５８などが設けられている。
【００２５】
また、前面枠本体１３０に軸着されたクリア部材保持枠１４０の開放端側となる前面側から見て右側の端部の前面には、施錠装置の一部をなす鍵穴１４３が形成されている。この鍵穴１４３は、前面枠本体１３０の施錠装置の一部であるとともに、クリア部材保持枠１４０の施錠装置の一部でもあって、鍵穴１４３に鍵を入れて一方（例えば左回り）に回すと前面枠本体１３０の施錠が解除され、他方（例えば右回り）に回すとクリア部材保持枠１４０の施錠が解除されるようになっている。
【００２６】
また、前面枠本体１３０の前面側のクリア部材保持枠１４０の下側には、発射操作ユニット１５０が取り付けられている。発射操作ユニット１５０は、左右側部のうちの一側部となる左側部を前面枠本体１３０に軸着されて、左右方向に回動して開閉自在な開閉パネル１５１とその下の下部パネル１５２とからなる。開閉パネル１５１は、排出された遊技球を貯留するとともに、遊技球を発射する発射装置（図示略）に遊技球を送る上皿１５３を有している。この上皿１５３の周囲には、遊技者が操作可能な演出用ボタン（図示略）が設けられている。また、開閉パネル１５１の下側の下部パネル１５２には、上皿１５３に収容しきれない遊技球を収容する下皿１５４及び灰皿１５５と、第１遊技領域１ａに向けての遊技球の発射操作を行うとともに、該第１遊技領域１ａに遊技球を発射する際の発射勢を調節するための操作ハンドル１５６、音声を出力するスピーカ５８などが設けられている。
【００２７】
また、図３に示すように、前面枠本体１３０の裏面側であって、遊技盤１が嵌め込まれた開口部１３１の上端部から中央より少し下側にわたる部分には、前面枠本体１３０の裏面側を覆うように裏機構枠１６０が配置されている。裏機構枠１６０の前面の左端部は、前面枠本体１３０の裏面であって遊技機１００の裏面側から見て右側の側部に回動可能に軸支されて扉状に開閉自在とされ、裏機構枠１６０を開くことにより、遊技盤１の裏面側の上部を開放可能となっている。なお、裏機構枠１６０と前面枠本体１３０の連結部分は着脱自在であって、前面枠本体１３０、裏機構枠１６０はそれぞれユニット単位で交換やメンテナンスが可能となっている。
【００２８】
また、図４に示すように、前面枠本体１３０の裏面側であって遊技盤１が嵌め込まれた開口部１３１の下方には、排出ユニット１９０による賞球の排出、発射装置による遊技球の発射を制御する排出発射制御装置３４、遊技機１００内の各装置に電力を供給する電源回路としての電源供給装置３７が取り付けられている。
その他、前面枠本体１３０には、各部材の取付位置に各部材を取り付けるための構造が設けられており、例えば、取り付けられた部材を囲むように補強用のリブが形成されていたり、ビス等による部材の取り付けのためのボス等が形成されている。
【００２９】
図２，５に示すように、前面枠本体１３０の開口部１３１に嵌め込まれる遊技盤１は、遊技盤本体１ｂと、遊技盤本体１ｂの裏面側に配される遊技盤裏面構成部材８０とを備える。遊技盤本体１ｂは透明な合成樹脂（例えば、ポリカーボネートやアクリル）からなり、前面には、遊技領域区画壁９で囲まれた第１遊技領域１ａを有し、この第１遊技領域１ａ内に発射装置（図示略）から遊技球（打球；遊技媒体）を発射して遊技を行うようになっている。
【００３０】
遊技盤本体１ｂの前面側には、第１遊技領域１ａを区画する遊技領域区画壁９を備える遊技領域区画部材８，８，…が取り付けられている。この遊技領域区画部材８，８，…は所定の厚みを有し、遊技盤本体１ｂの前面の四隅に配されて第１遊技領域１ａを区画するものであって、遊技盤１の中心側に配される側面が第１遊技領域１ａを区画する遊技領域区画壁９をなしている。また、遊技領域区画部材８，８，…は不透明な材質からなり、第１遊技領域１ａ以外から遊技機１００の内部が見えないようになっている。
【００３１】
さらに、遊技盤本体１ｂの四隅に配された遊技領域区画部材８，８，…には、遊技盤１を前面枠本体１３０に形成された開口部に対して着脱可能とする係合凹部８ｂ、固定凹部８ｃが形成されている。前面側から見て左側の上下にある遊技領域区画部材８，８には、前面枠本体１３０に設けられた係合部材１３２，１３２が係合可能な係合凹部８ｂが形成され、遊技盤１の前面側から見て右側の上下にある遊技領域区画部材８，８には、前面枠本体１３０に設けられた固定部が係合可能な固定凹部８ｃが形成されている。そして、前面枠本体１３０に形成された開口部に対して、前面側から係合凹部８ｂ，８ｂを係合部材１３２，１３２に係合させ、この係合部分を軸として他端部を後方に回動させて開口部に収容し、固定凹部８ｃ，８ｃに固定部１３３，１３３を係合させることで遊技盤１が前面枠本体１３０に固定されるようになっている。
【００３２】
遊技盤１を構成する遊技盤本体１ｂの前面側に形成された第１遊技領域１ａ内には、遊技盤１の装飾や遊技球を流下案内する遊技装置として、普図始動ゲート６、始動入賞口１０および普通変動入賞装置３、特別変動入賞装置４が設けられている。さらに遊技装置として、一般入賞口形成部材１４，１４に設けられた一般入賞口２，２、風車と呼ばれる打球方向変換部材１１，１１、多数の障害釘（図示略）、流下方向規制装置７、入賞口などに入賞しなかった遊技球を回収するアウト口５、ランプ・ＬＥＤなどの遊技盤装飾装置などが設けられている。また、遊技盤本体１ｂの裏面側には、遊技球が流下可能な後述する第２遊技領域２０が設けられ、第１遊技領域１ａには遊技装置として、この第２遊技領域２０への導入口をなすワープ入口１２，１２、第２遊技領域２０からの導出口１３が設けられている。
【００３３】
普図始動ゲート６は遊技球が上下に通過可能なゲートであり、その内部には遊技球の通過を検出するゲートセンサ６ａが設けられている。そして、該ゲートセンサ６ａで遊技球が検出されることに基づき普図変動表示ゲームの始動条件が成立するようになっている。また、普図変動表示ゲームは、遊技盤１の前面側に設けられた図示しない普図変動表示器にて表示されるようになっている。さらに、遊技盤１の前面側には、未処理となっている第１普図変動表示ゲームの回数をＬＥＤの点滅で表示する図示しない普図始動記憶表示器が設けられている。
【００３４】
始動入賞口１０および普通変動入賞装置３は第１遊技領域１ａの下部にあって、その内部には遊技球の流入を検出する始動口センサが設けられている。この始動入賞口１０および普通変動入賞装置３は、特図始動入賞口であって、始動口センサで遊技球が検出されることに基づき特図変動表示ゲームの始動条件が成立するようになっている。この特図変動表示ゲームは、遊技盤１の前面側に設けられた図示しない特図変動表示器にて表示されるようになっている。また、遊技盤１の前面側には、未処理となっている特図変動表示ゲームの回数をＬＥＤの点滅で表示する図示しない特図始動記憶表示器が設けられている。
【００３５】
普通変動入賞装置３は左右一対の開閉部材３ａ，３ａを具備し、始動入賞口１０の下部に配設され、この開閉部材３ａ，３ａは、常時は遊技球が流入不能な閉じた状態（遊技者にとって不利な状態）を保持しているが、普図変動表示ゲームの結果が所定の停止表示態様（例えば、「７」）となった場合には、普図の当たりとなって、普通変動入賞装置３の開閉部材３ａ，３ａが所定時間（例えば、０.５秒間）逆「ハ」の字状に開いて普通変動入賞装置３に遊技球が流入し易い状態（遊技者にとって有利な状態）に変化されるようになっている。これにより、特図変動表示ゲームの始動が容易となる。
【００３６】
また、特図変動表示ゲームは、第１遊技領域１ａ内に設けられた特図変動表示器で実行されるが、ここで実行される特図変動表示ゲームに対応する表示ゲームが後述する表示ユニット１７０の画像表示面１７１に表示されるようになっている。この特図変動表示ゲームに対応した表示ゲームの表示領域は、遊技盤本体１ｂの裏面側に配された表示領域区画壁６４，９２、上部役物装置２５によって区画された領域であって、透明な材質からなる遊技盤本体１ｂを通して、その裏面側に配された表示ユニット１７０の画像表示面１７１を視認可能な領域となっている。なお、遊技機１００に特図変動表示器を備えずに、表示ユニット１７０のみで特図変動表示ゲームを実行するようにしても良い。そして、特図変動表示ゲームの結果として、特図変動表示器の表示態様が特別結果態様（たとえば「７」）となった場合には、大当たりとなって特別遊技状態（いわゆる、大当たり状態）となる。また、これに対応して画像表示面１７１における表示ゲームの表示態様も特別結果態様（例えば、「７，７，７」等のゾロ目数字の何れか）となる。
【００３７】
特別変動入賞装置４は、上端側が手前側に倒れる方向に回動して開放可能になっているアタッカ形式の開閉扉４ａによって開閉される大入賞口を備えていて、特別遊技状態中は、大入賞口を閉じた状態から開いた状態に変換することにより大入賞口内への遊技球の流入を容易にさせる。なお、開閉扉４ａは、ソレノイド（大入賞口ＳＯＬ）により駆動される。また、大入賞口の内部（入賞領域）には、該大入賞口に入った遊技球を検出するための大入賞口用センサ（カウントセンサ）が配設されている。
【００３８】
一般入賞口形成部材１４，１４は、第１遊技領域１ａの下部に位置する遊技領域区画壁９に沿って配されており、前面側には一般入賞口２，２が形成されている。また、この一般入賞口２，２には、一般入賞口２，２に入った遊技球を検出するための一般入賞口センサが配設されている。また、一般入賞口形成部材１４，１４は、遊技に関連した装飾が施されて一部が光を透過可能に構成されているとともにＬＥＤなどを備えており、遊技盤１の装飾を行う遊技盤装飾装置の一部をなしている。
【００３９】
そして、遊技を開始することにより第１遊技領域１ａ内に打ち込まれた遊技球が、一般入賞口２，２、特図始動入賞口（始動入賞口１０、普通変動入賞装置３）、大入賞口（特別変動入賞装置４）等の入賞口の何れかに入賞すると、それぞれの入賞口に対応した所定数の賞球としての遊技球が排出発射制御装置３４（排出発射制御基板）の制御により排出ユニット１９０によって上皿１５３に排出される（払い出される）ようになっている。
【００４０】
また、流下方向規制装置７は、第１遊技領域１ａとなる遊技盤本体１ｂの前面に突出するように取り付けられている。この流下方向規制装置７は透光性を有する材質からなる部材で、鎧部７ａとその両端に接続した案内部７ｂ，７ｂとから略コ字状に形成されていて、コ字状の開口部分が下側を向くように第１遊技領域１ａの中央部に配され、第１遊技領域１ａの中央部分を区画するようになっている。これによって、第１遊技領域１ａに発射されて流下する遊技球が第１遊技領域１ａの左右に振り分けられ、第１遊技領域１ａの中央部分における画像表示面１７１の視認性が保たれるようになっている。
【００４１】
この流下方向規制装置７の鎧部７ａは、第１遊技領域１ａの中央部分に対して上側に配されて上方に突出するような円弧状をしており、その上面が中央から左右に下るような傾斜面とされている。このように上面が円弧状となっていることで、第１遊技領域１ａの上方に発射され、流下する遊技球を傾斜に沿って左右に振り分けることができるようになっている。
【００４２】
また、鎧部７ａの端部に連続した案内部７ｂ，７ｂは、第１遊技領域１ａの中央部分に対して左右に配されて下方に向かって延在するようになっている。この案内部７ｂ，７ｂは、鎧部７ａで左右に振り分けられた遊技球が中央部分へ戻らないように下方へ案内するものである。また、この案内部７ｂ，７ｂの下端部にはワープ流路への入口となるワープ入口１２，１２が、流下方向規制装置７の外側（案内部７ｂと、対向する遊技領域区画壁９との間）を流下する遊技球を受け入れ可能に形成されている。また、遊技盤本体１ｂにおけるワープ入口１２，１２が配される部分には、前後に貫通したワープ孔が形成され、ワープ入口１２，１２から流入した遊技球を、遊技盤本体１ｂの裏面側に形成された後述する第２遊技領域２０へ誘導可能とされている。
【００４３】
また、第１遊技領域１ａにおける始動入賞口１０の上側には、後述する第２遊技領域２０からの導出口１３が形成されている。この導出口１３は、遊技盤本体１ｂに形成された前後に貫通した導出孔に導出口形成部材２３を取り付けることで構成されている。この導出口形成部材２３は、遊技盤本体１ｂと略同じ厚みを有し、導出孔に嵌め込まれる部分に導出口１３を形成する筒状の開口２３ａが形成されている。この筒状の開口２３ａの内周面における下側の面（導出口１３の底面）は、後方に配される後述するステージ部材２１の形状に合わせた曲面とされているとともに前側に傾斜するようにされており、ステージから前側に誘導された遊技球を第１遊技領域１ａに誘導可能とされている。また、この曲面とされた遊技球が転動する下側の面の下方には、ステージの下方に前後方向に沿って延在するように形成された球誘導路２２の下流側端部が形成されている。導出口形成部材の前端部に位置する球誘導路２２の下流側端部は、始動入賞口１０の直上に位置するようになっており、ここを流下した遊技球は高い確率で始動入賞口１０に流入するようになっている。
【００４４】
図５に示すように、遊技盤１を構成する遊技盤本体１ｂの裏面側には、遊技盤裏面構成部材８０が取り付けられている。この遊技盤裏面構成部材８０は、上部カバー部材８１、下部カバー部材８２、側部カバー部材８４とから遊技盤本体１ｂの周囲に沿う矩形状に形成され、不透明又は半透明とされた合成樹脂（例えば、ポリカーボネートやＡＢＳ）からなる。この遊技盤裏面構成部材８０の略中央部には、遊技盤本体１ｂに形成された第１遊技領域１ａの大部分と重なるように略矩形状の視認開口８７が形成されている。
【００４５】
上部カバー部材８１は、遊技盤本体１ｂの裏面における上側部分を覆う板状の部材で、左右及び上側の周縁が遊技盤本体１ｂの上側部分における外周に沿うような形状をしている。また、下側の周縁は、遊技盤本体１ｂの前面側に形成された第１遊技領域１ａの周縁をなす遊技領域区画壁９に略沿うように湾曲した形状とされている。この上部カバー部材８１の裏面側には上部役物装置２５が取り付けられている。すなわち、上部カバー部材８１は上部役物装置２５の取り付けベースをなす。
【００４６】
上部役物装置２５はその大部分が、上部カバー部材８１の下側の周縁よりも下側に配されるようになっていて、その前面は遊技盤１の前面側から遊技盤本体１ｂを透して視認可能となっており、この前面には、例えば機種名や装飾図柄などが描かれ、装飾が施された装飾板が配されている。
【００４７】
この上部役物装置２５は、内部に演出部材と、この演出部材を駆動する駆動装置が設けられており、遊技の進行に合わせて演出部材を視認開口８７に現出させることで、遊技の演出を行うものである。すなわち演出部材は、通常時は上部役物装置２５の内部に収納された状態となっていて、遊技者からは見えないように機種名などが描かれた装飾板により隠蔽されており、この状態から駆動装置により駆動されて視認開口８７に現出し、遊技者から視認可能となることで演出を行うようになっている。また、この上部役物装置２５は遊技盤装飾装置の一部をなすものであって、第１演出制御装置３３が第２演出制御装置３１を介して制御するようになっている。また、上部役物装置２５は所定の前後幅を有し、遊技盤１と表示ユニット１７０の間の上部の隙間から遊技機１００の内部が見えないようにする機能も有する。
【００４８】
下部カバー部材８２は、遊技盤本体１ｂの裏面における下側部分を覆う板状の部材で、左右及び下側の周縁が遊技盤本体１ｂの下側部分における外周に沿うような形状をしている。また、上側の周縁は第１遊技領域１ａに設けられた役物装置（普通変動入賞装置３、特別変動入賞装置４、一般入賞口形成部材１４，１４）の後部を覆うことができるように、役物装置の配設部位における上縁部に沿う形状とされている。この下部カバー部材８２の裏面側には、役物装置の後部を覆う下部覆い部材６０が取り付けられるようになっている。すなわち、下部カバー部材８２は下部覆い部材６０の取り付けベースをなす。
【００４９】
下部覆い部材６０はその前面側に、始動入賞口１０、普通変動入賞装置３、特別変動入賞装置４、一般入賞口２，２などに入賞した遊技球を流下させる入賞球流路を備える。この入賞球流路は、遊技機１００の外部（島設備の回収樋）に連通する図示しない流路に接続するようになっている。また、この下部覆い部材６０の裏面側から見て左側の端部は、上下方向に沿って延在する回動軸を備える連結部６２が形成されており、第２演出制御装置３１が左右方向に扉状に回動可能に軸支されるようになっている。
【００５０】
また、下部覆い部材６０は透明な材質からなり、一部がレンズのように加工されていて、裏面側に配されたＬＥＤ基板（図示略）に備えられたＬＥＤからの光を役物装置に向けて誘導する機能も有する。さらに、下部覆い部材６０の上部には着色されて半透明とされた板状の表示領域区画壁６４が形成されており、表示領域を区画するとともに、遊技機１００の内部が見えないようにしている。また、下部覆い部材６０の裏面側に取り付けられた第２演出制御装置３１の裏面側には遊技制御装置３０が取り付けられている。
【００５１】
第２演出制御装置３１は、画像データなどを記憶したＲＯＭを備える演出データ基板と、遊技盤装飾装置を駆動するための盤装飾ドライバを備えたドライバ基板を備え、遊技制御装置３０の制御の下で演出の制御を行うものである。この第２演出制御装置３１の裏面側には、左右方向に沿って延在する回動軸を備える一対の支持部３１ａ，３１ａが形成されており、遊技制御装置３０を上下方向に扉状に回動可能に軸支するようになっている。また、遊技を制御する遊技制御装置３０を軸支する支持部３１ａ，３１ａの近傍には、遊技制御装置３０が第１演出制御装置３３の裏面に沿って配された状態、すなわち遊技制御装置３０が起立した状態を保持する保持部材（図示略）が設けられている。すなわち、第２演出制御装置３１の裏面は遊技制御装置３０を取り付けるための台座をなす。
【００５２】
すなわち、機種に依存する演出データ基板を備えた第２演出制御装置３１、遊技制御装置３０は遊技盤１に取り付けられ、複数の機種で共通使用可能な第１演出制御装置３３、排出発射制御装置３４、電源供給装置３７は前面枠本体１３０もしくは裏機構枠１６０に取り付けられている。よって、遊技盤１を変更することにより機種に依存する装置（基板）のみが交換され、遊技機１００の遊技内容を変更することが可能である。
【００５３】
側部カバー部材８４は、遊技盤本体１ｂの左右それぞれの側端に沿って取り付けられており、上端部が上部カバー部材８１の下端に接して連続するように配されるとともに、下端部が下部カバー部材８２の上端部に接して連続するように配される。さらに、側部カバー部材８４と一体に表示領域区画壁９２を備える側壁部材９０が取り付けられている。
【００５４】
側壁部材９０は、表示領域を区画する表示領域区画壁９２を備え、該表示領域区画壁９２が遊技盤本体１ｂに対して上下方向に延在するとともに後方へ延出するような向きで配される。なお、左右の表示領域区画壁９２は遊技盤本体１ｂに対して略垂直に配されるが、より詳細には、後方へ向かって間隔が狭くなるように若干斜めに配されるようになっている。
【００５５】
この表示領域区画壁９２は、表示領域区画壁９２を通して遊技機１００の内部が透けて見えない程度の半透明とされており、表示領域区画壁９２の外側を前方から隠蔽するように構成されている。さらに、表示領域区画壁９２の上端部は、遊技盤１の中央方向へ直角に屈曲した上部折り曲げ部９３とされ、隣設して配される上部役物装置２５との間の隙間を塞ぐようになっている。また、表示領域区画壁９２の下端部も、遊技盤１の中央方向へ直角に屈曲した下部折り曲げ部９４とされ、隣設して配される下部覆い部材６０に形成された表示領域区画壁６４との間の隙間を塞ぎ、遊技機１００の内部が見えないようになっている。
【００５６】
また、表示領域区画壁９２の遊技盤本体１ｂの側端側に配される面には波状の凹凸が形成されており、さらに、表示領域区画壁９２の遊技盤本体１ｂの中央側に配される面には、不透明な装飾用のシールが貼付されるようになっており、表示領域区画壁９２を透して遊技機１００の内部が見えないようになっている。
【００５７】
以上のような構成を有する上部役物装置２５、表示領域区画壁９２，６４によって、遊技盤本体１ｂの裏面側に前後方向に沿った筒状の空間が形成される。この表示領域区画壁９２，６４および上部役物装置２５は、遊技盤１の後方に配される後述する表示ユニット１７０の画像表示面１７１に近接するように配され（当接はしない）、特図変動表示ゲームに対応した表示ゲームなどの表示領域を区画するようになっている。すなわち、表示ユニット１７０の画像表示面１７１のうち、表示領域区画壁９２，６４および上部役物装置２５で囲まれた領域が遊技盤１の前面側から視認可能な表示領域（視認領域）となる。これによって、第１遊技領域１ａの大部分に表示ユニット１７０の画像が表示されることとなる。また後述するように、この遊技盤本体１ｂの裏面側における表示領域区画壁９２，６４および上部役物装置２５で囲まれた領域の一部が、遊技球が流下可能な第２遊技領域２０とされている。
【００５８】
なお、画像表示面１７１の面積は、遊技盤裏面構成部材８０に形成された視認開口８７よりも広いので、視認開口８７から露出する領域に所定の画像が表示されるように第１演出制御装置３３によって制御されている。また、上述したように、表示領域区画壁９２，６４と上部役物装置２５は、遊技機１００の内部が見えないようにする機能も有しており、これらで囲まれた視認開口８７の外周部分となる領域は遊技盤１の前面側からは見えないようになっている。
【００５９】
また、上部カバー部材８１、下部カバー部材８２の裏面には、遊技盤本体１ｂの左右端部に沿って配される周縁の近傍に後方へ突出する押圧部８３，８３，…が形成されている。この押圧部８３，８３，…は、遊技盤１の裏面側に配される表示ユニット１７０の前面（表示ユニット１７０の外枠をなす表示ユニットケース１７４の前面）に、その後端部が当接するようになっている。表示ユニット１７０は、表示ユニット付勢手段（圧縮コイルばね）によって前側に付勢されているので、押圧部８３，８３，…と表示ユニット１７０は密着した状態で保持されるようになっている。
【００６０】
また、押圧部８３，８３，…は、所定の前後幅を有しており、押圧部８３，８３，…が表示ユニット１７０の前面に当接することで、遊技盤１と表示ユニット１７０は所定の間隔をおいて平行に配され、両者の間に空間部が形成されるようになっている。なお、押圧部８３，８３，…の前後幅は、上述した表示領域区画壁９２の前後幅よりも若干広くされており、押圧部８３，８３，…が表示ユニット１７０の前面に当接することで、表示領域区画壁９２が画像表示面１７１に近接した位置に配されるようになっている。
【００６１】
このように、遊技盤１に対して表示ユニット１７０が所定の間隔をおいて遊技機１００の奥側に配されるので、表示ユニット１７０と遊技者との距離を確保でき、奥行き感を出すことができるとともに、大型の表示ユニット１７０を用いた場合でも、遊技者にとって見やすい構成とすることができる。また、遊技盤側から入り込む外光によって画像表示面１７１における表示が見にくくなることを防止できる。
【００６２】
また、押圧部８３，８３，…は上部カバー部材８１の裏面、下部カバー部材８２の裏面に形成された基部と、基部の後端部にねじによって取り付けられた摩擦係数が低い材質（例えば、ポリアセタール、金属）からなる押圧部材８３ｂとを有している。さらに、上部カバー部材８１、下部カバー部材８２の裏面側から見て右側に位置する押圧部８３，８３の基部には、押圧部材８３ｂに加え、上下方向に沿った軸を中心に回動可能なローラ８３ｃが、外側に位置する角部に取り付け可能とされている。
【００６３】
表示ユニット１７０の前面に当接する押圧部８３，８３，…がこのような構成を有することで、押圧部８３，８３，…が表示ユニット１７０の前面に当接し、押圧した状態で、容易に適切な位置に移動することができるようになっている。
【００６４】
また、遊技盤本体１ｂの裏面側における表示領域区画壁９２，６４および上部役物装置２５で囲まれた領域内には、遊技装置としてのステージ部材２１が配されている。このステージ部材２１は透光性を有する材質からなる板状の部材であって、左右の端部は表示領域区画壁９２に一部が支持されるとともに近接して配され、後端部は表示領域区画壁９２の後端部と等しい前後位置に配されている。すなわち、このステージ部材２１によって、表示領域区画壁９２，６４および上部役物装置２５によって形成された前後方向に沿った筒状の空間が上下に区画されるようになっている。そして、遊技盤１の裏面側に表示ユニット１７０が配されることで、表示ユニット１７０と表示領域区画壁９２、ステージ部材２１および上部役物装置２５によって囲まれた空間である第２遊技領域２０が遊技盤本体１ｂの裏面側に形成される。このように形成される第２遊技領域２０へは、案内部７ｂ，７ｂに形成されたワープ入口１２，１２に流入した遊技球が誘導されるようになっている。
【００６５】
遊技盤本体１ｂの裏面におけるワープ入口１２，１２と対応する位置には、遊技装置としての遊技球流路形成部材をなすワープ流路形成部材２４，２４が配されている。このワープ流路形成部材２４，２４は透光性を有する材質からなる部材で、ワープ入口１２，１２に流入してワープ孔を通って遊技盤本体１ｂの裏面に至った遊技球を、ステージ部材２１の上面に形成されたステージ上に誘導するワープ流路が内部に形成されている。このワープ流路は、遊技球を一列で流下可能な筒状の流路であって、その入口となる上流側端部は遊技盤本体１ｂに形成されたワープ孔に接続しており、ここから遊技盤本体１ｂの裏面に沿って遊技盤本体１ｂの側端方向へ屈曲し、出口となる下流側端部はステージの側端部の上方に近接した位置に配されるようになっている。これによって、第１遊技領域１ａに開口したワープ入口１２に流入した遊技球は、ワープ流路を通って第２遊技領域２０におけるステージ部材２１の上面に形成されたステージ上を遊技盤１の外側に向かって流下するように誘導されることとなる。このように、ワープ流路からステージの側端方向へ遊技球が排出されるので、ステージの端から端まで有効に利用できるようになり、ステージ上に一度に多数の遊技球を転動させることが可能となる。
【００６６】
ステージ部材２１は、左右両側が中央に向かって下る傾斜面となっているとともに、中央部が上向きに突出した略Ｗ字状に形成されている。そして、このステージ部材２１の上面が、遊技球が転動するステージとされ、遊技球が略Ｗ字状の傾斜に沿って左右に転動するようになっている。また、このステージ部材２１の中央部は、遊技盤本体１ｂに形成された導出口１３の後方に位置するように形成されており、ステージは、導出口形成部材２３によって形成された導出口１３の底面に連続するようになっている。これによって、ステージ上を転動する遊技球は前側へ誘導され、導出口１３から第１遊技領域１ａへ導出されることとなる。
【００６７】
また、ステージの左右方向の中央であって、遊技球が転動する面の下側には、遊技球が流下可能な流路である球誘導路２２の後方部分が形成されている。この球誘導路２２は、前後方向に沿って延在するように形成された遊技球が一個流下可能な内径を有する筒状の流路で、前側に向かって下るように傾斜している。この球誘導路２２の上流側端部はステージに開口しており、下流側端部は上述したように、導出口形成部材２３の前端部に開口している。
【００６８】
なお、遊技盤１は、前面枠１２０に対して前側から取り付ける構成としたが、遊技盤１を前面枠１２０に後側から取り付ける（或いはサイドからスライド挿入する）構成としても良い。この場合は、前面枠１２０に遊技盤１を装着した後に裏機構枠１６０を閉鎖することとなる。
また、裏機構枠１６０を開閉可能としたが、遊技盤１を前側から取り付ける構成の場合は、開閉できない裏機構枠１６０であっても良い。また、裏機構枠１６０を別途設けずに、前面枠本体１３０の裏面側に表示ユニット１７０を前後動可能に配するようにしても良い。また、表示ユニット１７０が遊技盤１の後方の所定間隔を空けた位置に配されるように、前面枠１２０などに固定されている構成としても良い。
【００６９】
また、遊技盤１は透明な合成樹脂からなるとしたが、少なくとも視認開口８７が設定される部分が透明であれば良く、遊技盤１の全てが透明であっても良いし、一部が透明であっても良い。
【００７０】
また、遊技盤１は、透明な合成樹脂で形成して遊技盤１を透かして後方の表示ユニット１７０の画像を視認できるように構成してもよいし、遊技盤１に開口部を形成して該開口部から後方の表示ユニット１７０の画像を視認できるように構成してもよい。このように遊技盤に開口部を形成する場合は、遊技盤は透明な合成樹脂製のものに限られず、木製などでもよい。なお、遊技盤を透明な合成樹脂で構成した場合は遊技盤１（表面）の全体或いは一部が表示領域を構成し、遊技盤１に開口部を形成した場合には開口部が表示領域を構成する。
【００７１】
図３，４に示すように、裏機構枠１６０は、裏機構枠本体１６１と、画像を表示する画像表示装置としての表示ユニット１７０を案内するためのガイド部１６２とを有し、表示ユニット１７０の他、表示ユニット１７０を制御する第１演出制御装置３３、賞球などを排出する排出ユニット１９０と排出ユニット１９０に遊技球を供給する貯留タンク１９２が設けられている。
【００７２】
上述したように、裏機構枠１６０の前から見て左側の端部は、前面枠本体１３０の裏面であって遊技機１００の裏面側から見て右側の側部に回動可能に軸支されており、前面枠本体１３０に形成されて遊技盤１が嵌め込まれる開口部１３１を裏面側から覆って遊技盤１の裏面に臨む状態から、後方に扉状に回動して遊技盤１の裏面側を開放する状態との間で回動可能となっている。すなわち、裏機構枠１６０に表示ユニット１７０が配設されることで、表示ユニット１７０は該裏機構枠１６０を介して前面枠１２０側に配設された状態で遊技盤１の後方位置に配設されることとなる。そして、裏機構枠本体１６１において遊技盤１と平行に配され、遊技盤１の裏面側を覆うように配される部分が後面部１６１ａとなる。
【００７３】
裏機構枠本体１６１は所定の厚みを有し、この裏機構枠本体１６１の前後面に種々の機構体が取り付けられている。裏機構枠本体１６１の前面には、表示ユニット１７０を前側に付勢する表示ユニット付勢手段をなす付勢部材としての圧縮コイルばね（図示略）を収納する後側が閉鎖された筒状の付勢部材収納部１８１，１８１（裏面側のみを図示）や、裏機構枠本体１６１を補強するための補強リブが形成されている。また、裏機構枠本体１６１の後面部１６１ａの背面には、第１演出制御装置配設部１６５や接続用凹部１８３、流路形成凹部１８４、排出装置配設凹部１８５などの前方に窪んで後方に開口した凹部が形成されており、裏機構枠本体１６１の前面の一部はこれら凹部の裏面によって形成されている。また、裏機構枠本体１６１の前面の周囲には、上下の一部を除いて前側に延出する周囲壁１８７が形成されており、裏機構枠本体１６１の前面側は全体が凹部となっている。
【００７４】
また、図３に示すように、この裏機構枠本体１６１の前側には、それぞれコ字状のガイド部１６２，１６２が左右の側面を前側に延長するように取り付けられている。そして、後面部１６１ａおよび周囲壁１８７、ガイド部１６２，１６２によって、所定の奥行きを有するとともに前面側（遊技盤１の裏面に臨む側）に開口した略矩形凹室形状の空間（少なくとも背面と左右側面とを囲まれた空間）が形成され、この空間が表示ユニット１７０を収納する表示ユニット収納部１６８となる。すなわち、ガイド部１６２，１６２は裏機構枠本体１６１における後面部１６１ａの左右端部の各々に設けられ、周囲壁１８７とともに表示ユニット収納部１６８の側面部をなす。
【００７５】
このように形成される表示ユニット収納部１６８には、画像表示面１７１が前側（開口した側）となるように表示ユニット１７０が配設されており、裏機構枠１６０を遊技盤１の裏面に臨むように配することで、遊技盤１の裏面側に表示ユニット１７０の画像表示面１７１が臨むようになっている。
【００７６】
表示ユニット１７０は、前面側が開口した矩形箱状（額縁状）に形成された金属製の表示ユニットケース１７４と、この矩形箱状の表示ユニットケース１７４に収容された液晶表示パネル１７５（液晶表示器、バックライトを含む）とを有する。そして、表示ユニットケース１７４の前面側から液晶表示パネル１７５の画像表示面１７１を有する前面が露出している。
【００７７】
表示ユニットケース１７４の上下の側部であって、左端部及び右端部の合わせて４ヶ所からは、側部に対して垂直に外側に突出する被案内部（図示略）が設けられている。この被案内部は、摩擦係数が低い材質（例えば、ポリアセタール、金属）からなる被案内部材を、表示ユニットケース１７４の上下部（上下面の左右両端）に固定することで形成されている。また、表示ユニット１７０の下面に設けられた被案内部は、その下部に滑動体として左右方向に沿った回転軸を有するローラを備えている。そして、表示ユニット収納部１６８には、この被案内部と対応する位置に前後に延在する溝状の案内部（図示略）が形成されており、表示ユニット１７０が表示ユニット収納部１６８内において前後動自在に配されることとなる。また、案内部に対して摩擦係数が低い材質からなる被案内部もしくは回転可能なローラが当接することとなり、被案内部と案内部との間の摩擦抵抗が軽減され、表示ユニット１７０を円滑に前後方向に移動することができるようになっている。
【００７８】
表示ユニットケース１７４の裏面には、表示ユニットケース１７４に収納される液晶表示パネル１７５と、裏機構枠１６０の裏面側に配される演出制御装置３３とを接続する配線を通すための、前後に貫通した図示しない配線用開口が形成されている。この配線用開口は、液晶表示パネル１７５の裏面側に設けられたコネクタ部の位置に対応して形成されており、液晶表示パネル１７５を表示ユニットケース１７４に収納すると、この配線用開口からコネクタ部が露出するようになっている。なお、この配線用開口が形成された位置は、表示ユニット１７０を表示ユニット収納部１６８に収納した際に、後面部１６１ａに形成された第１演出制御装置配設部１６５に対応する位置となっており、第１演出制御装置配設部１６５にもこれに対応して配線を挿通する配線用開口が形成されている。
【００７９】
液晶表示パネル１７５は、矩形板状であって表示ユニットケース１７４にちょうど収まる大きさとなっている。この液晶表示パネル１７５は、液晶表示器とバックライトなどから構成され、液晶表示器の画像表示面１７１が、前側に臨むように配されている。
【００８０】
液晶表示器の画像表示面１７１の面積は、前面枠本体１３０に形成された開口部１３１に嵌め込まれた遊技盤１の大部分を裏面側から覆うことができる面積となっており、後述する遊技盤裏面構成部材８０に形成された、遊技盤本体１ｂを透して後方を視認可能な視認開口８７よりも広いものである。すなわち、画像表示面１７１の面積が、少なくとも遊技盤裏面構成部材８０に形成された視認開口８７よりも広く、遊技盤裏面構成部材８０に形成された視認開口８７の大きさが変化してもそれに対応できるようになっている。このように、液晶表示器の画像表示面１７１が遊技盤１の裏面側を幅広く覆うようにすることで、遊技盤１を交換して遊技機１００の遊技内容を変更する場合に、多種の遊技盤１に対応できるようになっている。
【００８１】
また、液晶表示器は、画像表示面１７１の面積が遊技盤裏面構成部材８０に形成された視認開口８７よりも広いので、遊技盤裏面構成部材８０に形成された視認開口８７から露出する領域に所定の画像が表示されるように第１演出制御装置３３によって制御されている。この画像表示領域を決定する遊技盤１の遊技盤裏面構成部材８０に形成された視認開口８７の大きさや位置に関する初期情報や、変動表示ゲームの画像に関する情報は第２演出制御装置３１の演出データ基板に記憶されているが、第２演出制御装置３１は遊技盤１に取り付けられており、遊技盤１と一緒に第２演出制御装置３１も交換される。よって、遊技盤１の交換に伴い、例えば、これまでの遊技盤に対応した画像表示領域から、新たな遊技盤１に対応した画像表示領域に変更できるようになっている。
【００８２】
また、表示ユニット収納部１６８の上下幅および左右幅は、表示ユニット１７０の上下幅および左右幅よりも大きくなっており、表示ユニット１７０の周囲に空間があいた状態とされる。これによって、表示ユニット１７０の前後方向への移動が容易になるとともに、表示ユニット１７０が表示ユニット収納部１６８内で僅かに傾斜した状態（遊技盤１の左右方向と非平行状態）になることも可能となる。なお、溝状の凹部となった案内部内に被案内部が収納された状態となっているので、表示ユニット１７０が非平行状態になっても被案内部が案内部から脱落することがない。
【００８３】
また、表示ユニット１７０は、圧縮コイルばねからなる表示ユニット付勢手段により前方側に向かって付勢された状態となっており、裏機構枠１６０を開放した状態あるいは、遊技盤１を前面枠１２０から取り外した状態では、前後の移動範囲の最も前側の位置に配される。
【００８４】
なお、遊技盤１が装着されて裏機構枠１６０を閉じた状態においては、後述する遊技盤裏面構成部材８０の裏面に設けられて後方に突出する押圧部８３，８３，…が、表示ユニット１７０の前後方向の移動範囲における最も前側の位置より後方に位置するようになっている。よって、押圧部８３の後端部にある押圧部材８３ｂが表示ユニット１７０の前面に密着し、表示ユニット１７０は遊技盤裏面構成部材８０の裏面から押圧部８３，８３，…の突出幅の分だけ後方側へ隔離した位置に配されるようになっている。以上のような構成によって、液晶表示器を備えた表示ユニット１７０は、裏機構枠１６０に前後移動可能に保持されることとなる。
【００８５】
以上のことから、遊技領域（第１遊技領域１ａ）が形成される遊技盤１と、該遊技盤１を着脱可能に装着する前面枠１２０と、を備え、前面枠１２０には、表示ゲームを表示する画像表示装置（表示ユニット１７０）を遊技盤１の後方位置に配設するための裏機構枠１６０を設け、裏機構枠１６０は、誘導流路装置１９６および排出ユニット１９０を、画像表示装置の後方側で当該画像表示装置と当該遊技機１００の前後方向に重合する位置に配設するようにしている。
【００８６】
図３，４、６から１１に示すように、裏機構枠１６０の後面部１６１ａの背面（裏面）には、前方に窪んで後方に開口した略矩形状の凹部である第１演出制御装置配設部１６５が形成され、ここに第１演出制御装置３３が配設されている。この第１演出制御装置３３はＣＰＵなどを備えた演出制御基板を有し、画像表示装置をなす表示ユニット１７０における液晶表示器の表示を制御する表示制御装置をなすものである。
【００８７】
また、第１演出制御装置３３の上下幅は、第１演出制御装置配設部１６５の上下幅よりも広く、第１演出制御装置配設部１６５に第１演出制御装置３３を収容すると、第１演出制御装置３３の下部が第１演出制御装置配設部１６５の下方に形成された開口部１６３に延出するようになっている。そして、図３に示すように、第１演出制御装置３３の前面側であって開口部１６３に延出する部分からはコネクタ部３３ａが外側に露出している。
【００８８】
上述したように、遊技盤１の裏面には第２演出制御装置３１が取り付けられており、この第２演出制御装置３１の裏面には図示しないコネクタ部が外部に露出している。そして、この第２演出制御装置３１のコネクタ部と第１演出制御装置３３のコネクタ部３３ａは、互いに対向するように配され、第２演出制御装置３１と第１演出制御装置３３が直接接続できるようになっている。また、第１演出制御装置３３の下側部分の裏面側には、図４に示すように、遊技制御装置３０の一部が重合して配されるようになっており、この部分はその厚みの分だけ薄く形成されている。
【００８９】
また、図１０に示すように、後面部１６１ａの背面であって、裏機構枠１６０の裏面側から見て、第１演出制御装置配設部１６５の右側には、第１演出制御装置３３と他の装置等を接続する配線を収納する接続用凹部１８３が形成されている。この接続用凹部１８３の上半部はカバー部材１６６によって覆われ、下半部は遊技制御装置３０によって覆われるようになっている。このように配線を接続用凹部１８３内に収納し、接続用凹部１８３の開口部分をカバー部材１６６および遊技制御装置３０で覆って閉鎖することにより、配線が露出してばらけてしまうことを防止することができる。
【００９０】
裏機構枠本体１６１の上面には、遊技機１００が設置される図示しない島設備に設けられた供給装置から供給される遊技球を一時貯留し、排出ユニット１９０に供給する貯留タンク１９２が取り付けられるようになっている。
【００９１】
貯留タンク１９２は、略矩形箱状の部材であって、その長さ方向が裏機構枠本体１６１の左右方向に沿うとともに、上側に開口するように裏機構枠本体１６１の上面に取り付けられている。
この貯留タンク１９２の底面は、裏機構枠本体１６１の後方に向かって下るとともに、裏機構枠本体１６１の裏面側から見て左方向に下る傾斜を有しており、この傾斜下流側に位置する貯留タンク１９２の底面には、貯留タンク１９２内の遊技球を外部に排出する排出口として遊技球が通過可能な開口（図示略）が形成されている。そして、後面部１６１ａの背面には、この開口に連通する遊技球流路を形成するための流路形成凹部１８４が形成されている。
【００９２】
流路形成凹部１８４は後面部１６１ａの背面であって、裏機構枠１６０の裏面側から見て上側および右側の端部に隣接した位置に形成されている。このうち上側の流路形成凹部１８４は右側に向かって下る傾斜を有する導出流路形成部材載置部１９４を有し、ここに導出流路形成部材１９５が取り付けられて導出流路２０１が形成されている。
【００９３】
また、右側の流路形成凹部１８４は、その上下方向の略中央に流路形成凹部１８４に連通する排出装置配設凹部１８５が形成されており、ここに排出ユニット１９０が取り付けられるようになっている。この排出装置配設凹部１８５は、裏機構枠１６０の中央方向に延在するように形成され、その中央側の端部の一部が接続用凹部１８３に連通している。そして、この排出装置配設凹部１８５を境にして、右側の流路形成凹部１８４の上部には、誘導流路装置１９６が取り付けられ、導出流路２０１に連通するとともに排出ユニット１９０に接続する誘導流路２０２が形成されている。また、排出装置配設凹部１８５を境にして、右側の流路形成凹部１８４の下部には、流路構成部材１９７が取り付けられ、排出ユニット１９０から排出された遊技球を下方に流下案内する下部流路１９８が形成されている。さらに、誘導流路装置１９６から流路構成部材１９７へ連通するように球抜き流路１９９が形成されている。
【００９４】
後面部１６１ａの背面における上側の端部には、流路形成凹部１８４を形成したことにより後方に突出する段部が形成され、この段部の上面が、遊技球の流路を形成する導出流路形成部材１９５を取り付ける導出流路形成部材載置部１９４とされている。導出流路形成部材載置部１９４をなす段部の上面は、その前後幅（段部の後方に突出する幅）が遊技球の直径の２倍よりも広いものとされ、貯留タンク１９２の排出口が形成された位置から後述の誘導流路２０２にかけて、右側に下る傾斜を有するように形成されている。
【００９５】
この導出流路形成部材載置部１９４に取り付けられる導出流路形成部材１９５は、導出流路形成部材載置部１９４をなす段部の上面と略同じ大きさの底板と、底板に対し垂直に接続した背面板１９５ｂとからなるＬ字型の板状の部材である。底板上には、前後方向の中央に、傾斜方向に沿った仕切壁が形成されていて、これにより、遊技球の直径の２倍より広い前後幅を有する底板の上面が二分され、二条の導出流路２０１が形成されるようになっている。なお、導出流路２０１には、遊技球が上下に数段重なって流下するが、仕切壁の高さは遊技球の直径程度とされ、底板上を流下する遊技球のみが確実に二条に並ぶようにされている。
【００９６】
そして導出流路形成部材１９５は、底板が導出流路形成部材載置部１９４上に配され、かつ、背面板１９５ｂが導出流路形成部材載置部１９４の後端部側に配されるように取り付けられる。これによって、背面板１９５ｂは段部下方の後面部１６１ａの背面と略同一面を形成するようになる。すなわち、導出流路形成部材１９５の底板と、背面板１９５ｂおよび段部上方の後面部１６１ａの背面とから、溝状の導出流路２０１が形成されるようになっている。
【００９７】
裏機構枠本体１６１の裏面側から見て右側の流路形成凹部１８４に取り付けられた誘導流路装置１９６は、その内部に導出流路２０１に連通するとともに排出ユニット１９０に接続する誘導流路２０２が形成されている。この誘導流路装置１９６は、後面部１６１ａの背面における上側に形成された流路形成凹部１８４と右側に形成された流路形成凹部１８４の接続部分、すなわち、裏機構枠本体１６１の裏面側から見て右上の角部に沿って配されるＬ字形の部材である。また、誘導流路装置１９６の内部には、前後二列にかつ上下一段で遊技球を流下させる誘導流路２０２が形成されている。
【００９８】
このＬ字形をした誘導流路装置１９６の一端部であって、上側の流路形成凹部１８４に配される部分には、上述の導出流路２０１に連通し、誘導流路２０２の入口をなす流入口１９６ａが形成されている。この流入口１９６ａは、導出流路２０１に連続する前後二条の流路を有し、上部には、導出流路２０１の下流側における上端部から流入口１９６ａの上部にかけて下る傾斜を有する板状の案内部材１９６ｂが設けられている。この案内部材１９６ｂは、導出流路２０１内で上下に数段重なって流下する遊技球を押さえるとともに、流入口１９６ａに向かって上下一段になるように案内するものである。なお、板状の案内部材１９６ｂは、積み重なった状態の遊技球同士が噛み合ってブリッジを形成することを防止するため、下流側の端部が回動可能に軸着されているとともに上流側の端部におもり１９６ｃが取り付けられて上下に揺動可能に構成されている。
【００９９】
そして、誘導流路装置１９６内には、図１２に示すように、左右に蛇行しながら下る誘導流路２０２が形成され、流入口１９６ａから流入した遊技球が左右に折り返しながら下流側へ案内されるようになっている。そして、このように形成された誘導流路２０２は、誘導流路装置１９６の下端部に形成された排出口１９６ｄが排出ユニット１９０の流入口１９０ａに接続するようになっている。また、図１０，１１に示すように、排出口１９６ｄの後方側の壁面には遊技球の径に合わせた半円形の切欠き１９６ｈが形成されている。この半円形の切欠き１９６ｈは、後述するように排出ユニット１９０を取り外す際に、排出ユニット１９０の流入口１９０ａから突出する遊技球が接触しないようにするものである。
【０１００】
また、誘導流路装置１９６の流入口１９６ａから少し下流側の位置には、上部に半端センサ１９３が設けられている。この半端センサ１９３は、基本的には、貯留タンク１９２および導出流路２０１内の遊技球の残量が１回に払い出される遊技球数のうちの最大数より少なくなった場合に、１回の排出数に満たない半端な数の遊技球が払い出されるのを防止するものである。また、半端センサ１９３は、貯留タンク１９２に遊技球が無いのに、排出ユニット１９０が作動するのを防止すものである。
【０１０１】
この半端センサ１９３は、誘導流路２０２に対して直交するように前後方向に延在する回動軸１９３ａに軸支されて、誘導流路２０２に沿って上下に揺動可能に配されるアーム１９３ｂと、該アーム１９３ｂの状態を検出する検出センサ１９３ｃとを備える。アーム１９３ｂは、その下方の誘導流路２０２に遊技球が存在する場合は上方に押し上げられた状態となり、遊技球が存在しない場合は下方に下がった状態となるようにされている。また、アーム１９３ｂの状態を検出する検出センサ１９３ｃは、発光部と受光部とが対向して配された光センサで、受光部において発光部からの光を検出することでＯＮ信号を出力するようになっている。
【０１０２】
アーム１９３ｂの先端には遮光板１９３ｄが形成されており、誘導流路２０２に遊技球が存在し、アーム１９３ｂが上方に押し上げられた状態では、検出センサ１９３ｃの発光部と受光部の間に遮光板１９３ｄが挿入され光を遮り、発光部からの光を受光部で検出不能な状態、すなわち検出センサ１９３ｃがＯＦＦとなる。また、アーム１９３ｂが下方に下がった状態では遮光板１９３ｄが検出センサ１９３ｃの発光部と受光部の間から退避し、発光部からの光を受光部で検出可能な状態、すなわち検出センサ１９３ｃがＯＮとなる。そして、検出センサ１９３ｃがＯＮとなった場合（遊技球を検出していないことを示す信号が出力された場合）に、排出発射制御装置３４が、島設備側から遊技球が補給されて、検出センサ１９３ｃから遊技球を検出していることを示す信号が入力するまで、遊技球の排出を停止する制御を行う。なお、半端センサ１９３として、遊技球を非接触で検出する近接センサなどを用いても良い。
【０１０３】
また、誘導流路２０２における最も上流側の屈曲部分には、遊技球が流下する流路を球抜き流路１９９と誘導流路２０２とに切り替える切替部材１９６ｆが設けられている。この切替部材１９６ｆは、常時、遊技球を下段の誘導流路２０２に案内するようになっているが、球抜きの際に、球抜き操作部１９６ｅを操作することによって、この切替部材１９６ｆを遊技球が誘導流路２０２に隣接して形成された球抜き流路１９９へ流入するように切り替えることができる。なお、球抜き流路１９９は、後述する流路構成部材１９７に連通し、貯留タンク１９２および導出流路２０１内の遊技球を遊技機１００の外部（島設備の回収樋）に抜き取るためのものである。
【０１０４】
この誘導流路装置１９６が配される流路形成凹部１８４には、後方へ延出するボスが複数形成されており、誘導流路装置１９６にはこのボスと対応する位置に、ボスを挿通可能な前後に貫通する挿通孔１９６ｇが形成されている。この挿通孔１９６ｇは上下方向に長い長孔とされ、ボスを挿通した状態で誘導流路装置１９６が裏機構枠本体１６１に対して上下動可能となるようになっている。また、ボスの先端にはねじ止め部が形成されており、挿通孔１９６ｇに挿通した状態で固定ねじ１８４ｂを螺合することで、誘導流路装置１９６が上下動可能な状態で裏機構枠本体１６１に取り付けられる。このように誘導流路装置１９６が上下動可能な状態で裏機構枠本体１６１に取り付けられていることで、後述するように排出ユニット１９０の着脱作業を容易に行うことができる。なお、誘導流路装置１９６の上方への移動は、流下制御部材２１０の動作により補助されるようになっている。
【０１０５】
また、挿通孔１９６ｇのうち、流入口１９６ａの近傍に位置する挿通孔１９６ｇにおける後面の上端部には、固定ねじ１８４ｂの頭部を収容可能な凹部が形成されている。この凹部に固定ねじ１８４ｂの頭部を収容するように締めつけることで、固定ねじ１８４ｂが螺合されたボスと挿通孔１９６ｇが固定され、誘導流路装置１９６が裏機構枠本体１６１に対して固定できるようになっている。この凹部が形成された位置は、誘導流路装置１９６を上下の移動範囲における下端部に配した際に、固定ねじ１８４ｂの頭部が配される位置であって、遊技機１００の稼動時における位置である。すなわち、遊技機１００の稼動時において、誘導流路装置１９６を確実に固定し、不用意に移動しないようにすることができる。
【０１０６】
誘導流路２０２の下流側端部となる排出口１９６ｄには、排出口１９６ｄからの遊技球の流出を制御する流下制御部材２１０が設けられている。この流下制御部材２１０は、誘導流路装置１９６の下端に左右方向に沿ってスライド可能に取り付けられており、スライドすることで、排出口１９６ｄからの遊技流の流出が可能な流下許容状態と、排出口１９６ｄからの遊技球の流出が規制された流下阻止状態とに変換可能とされている。
【０１０７】
この流下制御部材２１０は、図１４（ａ）に示すように、略直方体状の本体部２１１と、該本体部２１１の一側面から延出する延出部２１２、延出部２１２の先端に形成され、流下制御部材２１０のスライド範囲を規制する移動規制部２１３、延出部２１２の下部側面に形成され、遊技球の流下を規制する規制リブ２１４、流下制御部材２１０を操作するための操作部２１５を備える。また、図１４（ｂ）に示すように、後述する係止受け部材１８８と係合する係止部材２１６が形成されている。
【０１０８】
延出部２１２は本体部２１１の一側面に対して垂直に側方へ延出する板状の部分で、前後に二条重なった誘導流路２０２の隔壁と同じ厚みを有し、図１２に示すように、該隔壁の下端に連続するように配される。この延出部２１２の先端に形成された移動規制部２１３は、延出部２１２の本体部２１１に対する延出方向に対して垂直に、延出部２１２が形成された本体部２１１の一側面と平行となるように形成された板状の部分である。この移動規制部２１３は、後述するように誘導流路装置１９６の下端に形成された移動規制部収納空間２２３に配されるようになっている。
【０１０９】
規制リブ２１４は、延出部２１２の両側面の下部であって本体部２１１から所定の範囲に、延出部２１２の側面に対して垂直に延出するように形成されている。この規制リブ２１４の延出幅は、排出口１９６ｄの内径を遊技球の直径以下に狭めることができるような幅とされている。なお、規制リブ２１４が形成された所定範囲とは、図１２に示すように、流下制御部材２１０を流下許容状態とした際に、遊技球の流下を妨げない位置に退避し、かつ、図１３に示すように、流下制御部材２１０を流下阻止状態に変換した際に排出口１９６ｄにおいて遊技球と接触する位置に出現するような範囲である。
【０１１０】
操作部２１５は流下制御部材２１０を流下許容状態と流下阻止状態との間で変換する際に扱う部分であって、流下制御部材２１０をスライド操作できるようにスライド方向に対して垂直に形成された板状をしている。この操作部２１５は、図６に示すように、誘導流路装置１９６の裏面側に露出するように配される。
【０１１１】
図１４（ｂ）に示すように、係止部材２１６は、本体部２１１の延出部２１２が形成された一側面を形成する側壁における、延出部２１２が形成された面とは反対側の面の下部側面にリブ状の突出部２１７を形成したものである。この係止部材２１６は、流下制御部材２１０を延出部２１２の延出方向と反対の方向であって、流下規制状態から流下許容状態に変換するようにスライドさせた際に、後述する係止受け部材１８８と係合するようになっている。また、係止部材２１６に隣設する操作部２１５の裏側の面は、流下許容状態において後述する排出ユニット１９０に形成された移動規制部１９０ｅに当接する当接面２１８とされている。
【０１１２】
以上のような構成を有する流下制御部材２１０は、図１２に示すように、本体部２１１が、誘導流路２０２の排出口１９６ｄ近傍における裏面側から見て左側に隣設して形成された本体部収納空間２２０に収納され、誘導流路２０２の左側壁よりも左側に位置するようになっている。また、誘導流路装置１９６の後面である本体部収納空間２２０の後面には開口２２２が形成されており、この開口２２２から操作部２１５が後方へ露出するようになっている。
【０１１３】
また、本体部収納空間２２０と誘導流路２０２とを隔てる誘導流路２０２の左側壁には、延出部２１２および規制リブ２１４が通過可能であるが本体部２１１は通過できない大きさの通過孔２２１が形成されている。そして延出部２１２、規制リブ２１４が、この通過孔２２１を通って誘導流路２０２内に延出し、誘導流路装置１９６の左右方向に沿って、前後に二条重なった誘導流路２０２の隔壁の下端に連続するように配される。
【０１１４】
また、本体部収納空間２２０と誘導流路２０２を挟んで対向する位置には、移動規制部収納空間２２３が形成されている。この移動規制部収納空間２２３と誘導流路２０２とを隔てる誘導流路２０２の右側壁には、延出部２１２が通過可能であるが移動規制部２１３は通過できない大きさの通過孔２２４が形成されている。そして、本体部収納空間２２０の通過孔２２１を通って誘導流路２０２内に延出した延出部２１２が、移動規制部収納空間２２３の通過孔２２４を通って移動規制部収納空間２２３内に延出するようになっている。これにより、延出部２１２の先端に形成された移動規制部２１３が移動規制部収納空間２２３に収納され、誘導流路２０２の右側壁よりも右側に位置するようになっている。
【０１１５】
また、図９，１１に示すように、流路形成凹部１８４における流下制御部材２１０が位置する部分には、係止受け部材１８８が形成されている。この係止受け部材１８８は、流路形成凹部１８４の後面から後方へ突出するリブによって、裏面側から見て右側に開口する略コ字状に形成されている。
【０１１６】
また、この係止受け部材１８８と一体にガイド部材１８９が形成されている。このガイド部材１８９は、係止受け部材１８８と同様に流路形成凹部１８４の後面から後方へ突出するリブによって構成されていて、略コ字状に形成された係止受け部材１８８の下側の辺を延長するように、裏面側から見て右斜め上方に向けて延在するように形成されている。
【０１１７】
排出ユニット１９０は、裏機構枠本体１６１の裏面側から見て、右側の流路形成凹部１８４における上下方向の略中央に形成された排出装置配設凹部１８５に取り付けられている。この排出ユニット１９０は略直方体状であって、上部に誘導流路２０２からの遊技球を受け入れる流入口１９０ａを、下部に下部流路１９８へ遊技球を排出する排出口１９０ｂを備えており、排出発射制御装置３４が遊技制御装置３０の制御の下で排出ユニット１９０を作動させることで、所定数の遊技球を下部流路に排出するようになっている。
【０１１８】
図１０に示すように、排出ユニット１９０が取り付けられた排出装置配設凹部１８５の裏面側から見て左側の端部には、上下方向に沿って延在する回動軸を備える取付部１８５ａが形成されている。そして、排出ユニット１９０の裏面側から見た左側面には、取付部１８５ａの回動軸に嵌合可能な軸受部１９０ｃが形成されており、排出ユニット１９０が扉状に開閉可能に軸支されるようになっている。
【０１１９】
また、図１１に示すように、排出装置配設凹部１８５の裏面側から見て右側の端部には、後方に向かって延出するフック１８５ｂが形成されている。そして、図１０に示すように、扉状に軸支された排出ユニット１９０における回動側端部となる裏面側から見た右側面には、排出装置配設凹部１８５に形成されたフック１８５ｂと係合可能な係合受部１９０ｄが形成されている。この係合受部１９０ｄは、図６に示すように、排出ユニット１９０が排出装置配設凹部１８５に完全に収容された状態でフック１８５ｂと係合するようになっている。このような構成により排出ユニット１９０は、裏面側から見た左端部が取付部１８５ａの回動軸によって軸支されるとともに、右端部がフック１８５ｂに係合することで排出装置配設凹部１８５内に固定されることとなる。
【０１２０】
また、排出ユニット１９０の上端部には、上方（誘導流路装置１９６方向）へ突出する移動規制部１９０ｅが形成されている。この移動規制部１９０ｅには、図６に示すように、流下制御部材２１０を流下許容状態とした際に、図８に示すように、流下制御部材２１０の本体部２１１が後方に重なって当接面２１８（図１４（ｂ）に図示）が当接するようになっており、流下許容状態において排出ユニット１９０の取り外し方向（後方向）への移動が規制されるようになっている。
【０１２１】
以上のことから、排出ユニット１９０は移動規制部１９０ｅを誘導流路装置１９６方向に突設し、流下制御部材２１０が流下許容状態に変換されると、移動規制部１９０ｅが該流下制御部材２１０に当接して、排出ユニット１９０の取り外し方向への移動が規制されるようにしたこととなる。
【０１２２】
排出装置配設凹部１８５を境にして、右側の流路形成凹部１８４の下部には流路構成部材１９７が取り付けられて、排出ユニット１９０から排出された遊技球を下方に流下案内する下部流路１９８が形成されている。この下部流路１９８は、その流入口が排出ユニット１９０の排出口１９０ｂに接続しており、ここから流入した遊技球は下部流路１９８に沿って下方に案内される。そして、下部流路１９８の下端部の排出口は遊技機前面側の上皿１５３に連通する流路に接続しており、これによって排出ユニット１９０から排出された所定数の遊技球が、発射操作ユニット１５０の前面に形成された上皿１５３に払い出されるようになっている。
【０１２３】
また、この流路構成部材１９７は、排出ユニット１９０を介さずに誘導流路２０２から遊技機の外部に遊技球を排出する球抜き流路１９９を備えている。この球抜き流路１９９は、誘導流路装置１９６に設けられた球抜き流路１９９に連通し、排出ユニット１９０の側方を通って下方に延在するように形成されており、その下端部の排出口は遊技機１００の外部（島設備の回収樋）に連通する流路に接続するようになっている。
【０１２４】
以上のような構成によって、図示しない島設備の供給装置から供給され、貯留タンク１９２に貯留された遊技球は、貯留タンク１９２底面の傾斜によって裏機構枠１６０の裏面側に位置する排出口に誘導される。排出口から排出された遊技球は、裏機構枠１６０の裏面側に形成された導出流路２０１を流下して誘導流路２０２を経て排出ユニット１９０に至る。そして、排出ユニット１９０が動作することによって、下部流路１９８を経て発射操作ユニット１５０の前面に形成された上皿１５３に排出される。なお、貯留タンク１９２の排出口から排出ユニット１９０に至る流路内には、常に遊技球が待機している状態となっており、排出ユニット１９０によって流路内の遊技球が排出されることに伴って貯留タンク１９２から流路に遊技球が流入するようになっている。なお、後面部１６１ａの背面に配される上述した各種部材は、その裏面が略同一面をなすような前後幅に形成されている。
【０１２５】
次に、排出ユニット１９０の着脱について説明する。
排出ユニット１９０を取り外す際には、流下制御部材２１０を操作して流下許容状態から流下阻止状態へ変換し、誘導流路２０２で待機している遊技球が落下しないようにする。このとき誘導流路装置１９６は、流下制御部材２１０の流下許容状態から流下阻止状態への変換動作に関連して上方へ移動し、これにより排出ユニット１９０と誘導流路装置１９６との間に間隙が形成されて容易に排出ユニット１９０が取り外せるようになる。
【０１２６】
図６に示すように、遊技機１００が稼動可能な状態においては、流下制御部材２１０は流下許容状態とされている。この流下許容状態では、誘導流路装置１９６は上下方向の移動範囲における下端の位置にあって、誘導流路装置１９６の下端と排出ユニット１９０の上端が隣設して配されている。
【０１２７】
流下制御部材２１０は、図６，８，１２に示すように、誘導流路装置１９６の裏面側から見て左右方向の移動範囲における左端に位置し、規制リブ２１４が遊技球の流下を妨げない位置に退避して、排出口１９６ｄからの遊技球の流出が可能となっている。このとき、移動規制部２１３は移動規制部収納空間２２３の左側壁（誘導流路２０２側の側壁）に当接し、流下制御部材２１０の裏面側から見て左方向への移動が規制された状態となっている。
【０１２８】
また、図１５（ａ）に示すように、流下制御部材２１０の係止部材２１６は、略コ字状に形成された係止受け部材１８８にちょうど収まった状態となっている。これにより係止部材２１６のリブ状の突出部２１７と、略コ字状に形成された係止受け部材１８８の上側の辺とが係合し、誘導流路装置１９６の上方への移動を規制した状態となっている。また、係止部材２１６のリブ状の突出部２１７が係止受け部材１８８の側辺に当接し、流下制御部材２１０の裏面側から見て左方向への移動も規制した状態となっている。さらに、図８に示すように、排出ユニット１９０の上部に突設された移動規制部１９０ｅの後方に流下制御部材２１０の本体部２１１が位置し、当接面２１８が当接することで、排出ユニット１９０の後方への移動が規制された状態となっている。
【０１２９】
以上のことから、流下制御部材２１０に係止部材２１６を備えるとともに、誘導流路装置１９６の取付部（流路形成凹部１８４）に流下許容状態における流下制御部材２１０の係止部材２１６が係合可能な係止受け部材１８８を備え、係止部材２１６の係止受け部材１８８への係合により、誘導流路装置１９６の上方への移動が規制されるようにしたこととなる。
【０１３０】
また、誘導流路装置１９６の挿通孔１９６ｇに挿通されたボスに螺合された固定ねじ１８４ｂは締め付けた状態とされ、流入口１９６ａの上方に位置する挿通孔１９６ｇに螺合された固定ねじ１８４ｂは、頭部が凹部に嵌合して誘導流路装置１９６の上下移動を規制する状態となっている。
【０１３１】
この状態から排出ユニット１９０を取り外す際には、まず、誘導流路装置１９６を固定するための挿通孔１９６ｇに挿通されたボスに螺合された固定ねじ１８４ｂを緩める。このとき、流入口１９６ａの上方に位置する挿通孔１９６ｇに螺合された固定ねじ１８４ｂは、頭部が凹部から出るまで緩める。これにより固定ねじ１８４ｂによる誘導流路装置１９６の上下移動の規制を解除する。
【０１３２】
次に、図７に示すように、流下制御部材２１０の操作部２１５を操作し、流下制御部材２１０を裏面側から見て右側へスライドさせるとともに、手で誘導流路装置１９６を上方へ押し上げる。この過程においては、図１５（ｂ）に示すように、係止部材２１６の突出部２１７の下面がガイド部材１８９によって上方へ案内され、誘導流路装置１９６の上方への移動が補助されるので、容易に誘導流路装置１９６を上方へ移動することができる。
【０１３３】
以上のことから、誘導流路装置１９６の取付部（流路形成凹部１８４）に流下制御部材２１０と当接可能に構成され、当該流下制御部材２１０の流下阻止状態への変換動作に応じて、該流下制御部材２１０を上方に移動するようにガイドするガイド部材１８９を備え、ガイド部材１８９による流下制御部材２１０に対するガイドにより誘導流路装置１９６の上方への移動が補助されるようにしたこととなる。
【０１３４】
流下制御部材２１０を誘導流路装置１９６の裏面側から見て、左右方向の移動範囲における右端に移動すると、図１３に示すように、規制リブ２１４が排出口１９６ｄにおいて遊技球と接触する位置に出現し、排出口１９６ｄからの遊技球の流出が規制された流下規制状態となる。このとき、移動規制部２１３が移動規制部収納空間２２３の右側壁（球抜き流路１９９側の側壁）に当接することで、流下制御部材２１０の裏面側から見て右方向への移動が規制されるようになっている。
【０１３５】
また、この状態では、図１５（ｃ）に示すように、突出部２１７がガイド部材１８９の先端上部に載置された状態となり、誘導流路装置１９６が上昇した位置で安定して保持されるようになっている。さらに、図９に示すように、排出ユニット１９０の上部に突設された移動規制部１９０ｅの後方から流下制御部材２１０の本体部２１１が退避した状態となる。
【０１３６】
なお、誘導流路装置１９６の上方への移動距離は、遊技球の直径以下の距離とされており、導出流路２０１内に待機している遊技球は、誘導流路２０２の流入口１９６ａの底面によって下流側への移動が規制された状態となっている。
【０１３７】
このように誘導流路装置１９６を上昇させ、排出ユニット１９０との間に間隙を形成することで、誘導流路２０２で待機している遊技球から圧力が加わることなくなり、また、排出ユニット１９０に残っている遊技球が上部の部材に接触することもないので、排出ユニット１９０を容易に取り外すことができるようになる。
【０１３８】
誘導流路装置１９６を上昇させたら、排出装置配設凹部１８５に形成されたフック１８５ｂの排出ユニット１９０の係合受部１９０ｄへの係合を解除し、図１０に示すように、取付部１８５ａの回動軸を中心に扉状に後方へ回動させて排出ユニット１９０を排出装置配設凹部１８５から取り出す。このとき、誘導流路装置１９６の最下流の遊技球と、排出ユニット１９０の最上流の遊技球とは隔離していて、さらに、誘導流路２０２の排出口１９６ｄの下端における後壁には、半円形の切欠き１９６ｈが形成されているので、排出ユニット１９０の流入口１９０ａから突出する遊技球が誘導流路装置１９６に接触することがなく、スムーズに排出ユニット１９０を後方へ回動させることができる。そして、軸受部１９０ｃを回動軸から取り外し、排出ユニット１９０を裏機構枠本体１６１から取り外す。
【０１３９】
排出ユニット１９０を取り付ける際には上述と逆の操作を行えば良い。すなわち、流下制御部材２１０を流下阻止状態とし、誘導流路装置１９６を上昇させた状態で排出ユニット１９０の軸受部１９０ｃを排出装置配設凹部１８５に形成された取付部１８５ａの回動軸に嵌合するとともに、扉状に前方へ回動させて排出ユニット１９０を排出装置配設凹部１８５に収納する。そして、流下制御部材２１０の操作部２１５を操作して裏面側から見て左側へスライドさせて流下許容状態とするとともに、手で誘導流路装置１９６を下方に押し下げ、あるいは誘導流路装置１９６が自重で下方に移動し、図６に示すように遊技機１００が稼動可能な所定位置に移動した状態となった後、固定ねじ１８４ｂを締め付ければ良い。
【０１４０】
なお、上述の実施形態においては、流下制御部材２１０の流下阻止状態への変換動作により誘導流路装置１９６の上方への移動が補助されるとしたが、変換動作を行えばその力だけで自動的に誘導流路装置１９６が上方に移動するようにしても良く、例えば、ガイド部材１８９の傾斜により自動的に上昇するようにしても良いし、ばねなどの付勢手段の付勢力により上昇するようにしても良い。すなわち、流下制御部材２１０の流下許容状態から流下阻止状態への変換により、誘導流路装置１９６の固定が解除されて付勢力により上昇するようにする。
【０１４１】
また、誘導流路装置１９６の取付部として裏機構枠１６０の裏面に流路形成凹部１８４を形成したが、遊技機１００における排出ユニット１９０の上流側の位置であれば、前面枠本体１３０などに形成しても良い。
【０１４２】
以上のことから、所定の排出条件の成立に基づき、所要数の遊技球を遊技者に排出する排出ユニット１９０を備えた遊技機１００であって、排出ユニット１９０の上流側に、排出前の遊技球を該排出ユニット１９０に誘導する誘導流路装置１９６を配設し、誘導流路装置１９６は、外部操作に基づいて、誘導流路装置１９６の流路下端部において遊技球の流下を阻止する流下阻止状態と遊技球の流下を許容する流下許容状態とに変換可能な流下制御部材２１０を備えるとともに、上方に移動可能に構成され、排出ユニット１９０を取り外す際に、誘導流路装置１９６の流下制御部材２１０を流下許容状態から流下阻止状態へ変換すると、その変換動作に関連して誘導流路装置１９６が上方へ移動して、該排出ユニット１９０と誘導流路装置１９６との間に間隙が形成されるようにしたこととなる。
【０１４３】
以上のような遊技機は、所定の排出条件の成立に基づき、所要数の遊技球を遊技者に排出する排出ユニット１９０を備えた遊技機１００であって、排出ユニット１９０の上流側に、排出前の遊技球を該排出ユニット１９０に誘導する誘導流路装置１９６を配設し、誘導流路装置１９６は、外部操作に基づいて、誘導流路装置１９６の流路下端部において遊技球の流下を阻止する流下阻止状態と遊技球の流下を許容する流下許容状態とに変換可能な流下制御部材２１０を備えるとともに、上方に移動可能に構成され、排出ユニット１９０を取り外す際に、誘導流路装置１９６の流下制御部材２１０を流下許容状態から流下阻止状態へ変換すると、その変換動作に関連して誘導流路装置１９６が上方へ移動して、該排出ユニット１９０と誘導流路装置１９６との間に間隙が形成されるようにしている。
【０１４４】
したがって、排出ユニット１９０を取り外す際に、流下制御部材２１０を流下許容状態から流下阻止状態へ変換すると、その変換動作に関連して誘導流路装置１９６が上方へ移動して、該排出ユニット１９０と誘導流路装置１９６の連結部に間隙を形成するようにしたので、排出ユニット１９０を容易に取り外すことができる。すなわち、排出ユニット１９０を取り外す際に、上方の遊技球から圧力が加わることなくなり、また、排出ユニット１９０に残っている遊技球が上部の部材に接触することもないので、容易に取り外すことが可能となる。
特に、流下制御部材２１０を流下阻止状態へ変換する変換動作に応じて（自動的に）誘導流路装置１９６が上方へ移動するように構成すれば、流下制御部材２１０を流下阻止状態へ変換するだけで、上記のように排出ユニット１９０を容易に取り外せるように誘導流路装置１９６と排出ユニット１９０の間の間隙を形成することが可能となり、排出ユニット１９０の取り外し作業の効率が向上する。
【０１４５】
また、排出ユニット１９０を取り外す際に、流下制御部材２１０を流下許容状態から流下阻止状態へ変換すると、その変換動作により誘導流路装置１９６の上方への移動が補助されて、（同時に手で押し上げることで）該誘導流路装置１９６の上方への移動により該排出ユニット１９０と誘導流路装置１９６の連結部に間隙を形成するような構成としても、上述と同様に排出ユニット１９０を容易に取り外すことができる。すなわち、排出ユニット１９０を取り外す際に、上方の遊技球から圧力が加わることなくなり、また、排出ユニット１９０に残っている遊技球が上部の部材に接触することもないので、容易に取り外すことが可能となる。
特に、流下制御部材２１０を流下阻止状態へ変換する動作により誘導流路装置１９６の上方への移動が補助される構成とすれば、上記のように排出ユニット１９０を容易に取り外すための誘導流路装置１９６と排出ユニット１９０の間の間隙を容易に形成することが可能となる。
また、流下制御部材２１０を流下阻止状態へ変換する変換動作に応じて誘導流路装置１９６が上方へ移動する構成と比べて、誘導流路装置１９６を上方へ移動させる部分にかかる負担が少なく、構成を簡略化できる。
【０１４６】
また、誘導流路装置１９６の取付部（流路形成凹部１８４）に流下制御部材２１０と当接可能に構成され、当該流下制御部材２１０の流下阻止状態への変換動作に応じて、該流下制御部材２１０を上方に移動するようにガイドするガイド部材１８９を備え、ガイド部材１８９による流下制御部材２１０に対するガイドにより誘導流路装置１９６の上方への移動が補助されるようにしている。
【０１４７】
したがって、誘導流路装置１９６の取付部に流下制御部材２１０と当接可能なガイド部材１８９を備え、ガイド部材１８９による流下制御部材２１０に対するガイドにより誘導流路装置１９６の上方への移動が補助されるので、流下制御部材２１０を流下阻止状態へ変換すれば、確実に誘導流路装置１９６を上方に移動するとこが可能となる。
【０１４８】
また、流下制御部材２１０に係止部材２１６を備えるとともに、誘導流路装置１９６の取付部（流路形成凹部１８４）に流下許容状態における流下制御部材２１０の係止部材２１６が係合可能な係止受け部材１８８を備え、係止部材２１６の係止受け部材１８８への係合により、誘導流路装置１９６の上方への移動が規制されるようにしている。
【０１４９】
したがって、流下制御部材２１０に係止部材２１６を備えるとともに、誘導流路装置１９６の取付部に流下許容状態における流下制御部材２１０の係止部材２１６が係合可能な係止受け部材１８８を備え、係止部材２１６の係止受け部材１８８への係合により、誘導流路装置１９６の上方への移動が規制されるように構成したので、排出ユニット１９０を取り付けた状態において誘導流路装置１９６が上方へ移動してしまうことを防ぎ、流路内での球詰まりや、排出ユニット１９０の脱落等を防止できる。
【０１５０】
また、排出ユニット１９０は移動規制部１９０ｅを誘導流路装置１９６方向に突設し、流下制御部材２１０が流下許容状態に変換されると、移動規制部１９０ｅが該流下制御部材２１０に当接して、排出ユニット１９０の取り外し方向への移動が規制されるようにしている。
【０１５１】
したがって、排出ユニット１９０は移動規制部１９０ｅを誘導流路装置１９６方向に突設し、流下制御部材２１０が流下許容状態に変換されると、移動規制部１９０ｅが該流下制御部材２１０に当接して、排出ユニット１９０の取り外し方向への移動を規制するようにしたので、流下制御部材２１０を流下許容状態、すなわち、遊技機１００の稼働状態に変換すると、排出ユニット１９０の移動が規制されて正常位置に固定されるようになるので、例えば、流路の接続部の接続不良等を防止することができる。
【０１５２】
また、遊技領域（第１遊技領域１ａ）が形成される遊技盤１と、該遊技盤１を着脱可能に装着する前面枠１２０と、を備え、前面枠１２０には、表示ゲームを表示する画像表示装置（表示ユニット１７０）を遊技盤１の後方位置に配設するための裏機構枠１６０を設け、裏機構枠１６０は、誘導流路装置１９６および排出ユニット１９０を、画像表示装置の後方側で当該画像表示装置と当該遊技機１００の前後方向に重合する位置に配設するようにしている。
【０１５３】
したがって、遊技領域が形成される遊技盤１と、該遊技盤１を着脱可能に装着する前面枠１２０と、を備え、前面枠１２０には、表示ゲームを表示する画像表示装置を遊技盤１の後方位置に配設するための裏機構枠１６０を設け、裏機構枠１６０は、誘導流路装置１９６および排出ユニット１９０を、画像表示装置の後方側で当該画像表示装置と当該遊技機１００の前後方向に重合する位置に配設するようにしたので、誘導流路装置１９６および排出ユニット１９０が画像表示装置の後方側に配置されるので、画像表示装置が大型化しても、誘導流路装置１９６および排出ユニット１９０が画像表示装置と干渉することを避け、何ら問題なく遊技機１００の裏面に配設することができる。
【０１５４】
なお、誘導流路装置１９６を上方に移動させないと流下制御部材２１０が誘導流路装置１９６の所定部位に当接して変換動作が規制されるようにし、誘導流路装置１９６を上方に移動させると規制が解除され、流下制御部材２１０が流下許容状態から流下阻止状態に変換可能となるようにしても良い。この場合ガイド部材１８９は必要なくなる。
【０１５５】
すなわち、所定の排出条件の成立に基づき、所要数の遊技球を遊技者に排出する排出ユニット１９０を備えた遊技機１００において、
前記排出ユニット１９０の上流側に、排出前の遊技球を該排出ユニット１９０に誘導する誘導流路装置１９６を配設し、
前記誘導流路装置１９６は、前記誘導流路装置１９６の流路下端部において遊技球の流下を阻止する流下阻止状態と遊技球の流下を許容する流下許容状態とに変換可能な流下制御部材２１０を備えるとともに、上方に移動可能に構成され、
前記排出ユニット１９０を取り外す際に、前記誘導流路装置１９６を上方へ移動すると、該排出ユニット１９０と誘導流路装置１９６との間に間隙が形成されるとともに、流下制御部材２１０の前記流下許容状態から流下阻止状態への変換に対する規制が解除されて流下阻止状態への変換が可能となるように構成しても良い。
【０１５６】
また、誘導流路装置１９６を上方に移動させると、流下制御部材２１０が付勢手段（ばね等）の付勢力により流下許容状態から流下阻止状態に自動で変換するようにしても良い。
【０１５７】
すなわち、所定の排出条件の成立に基づき、所要数の遊技球を遊技者に排出する排出ユニット１９０を備えた遊技機１００において、
前記排出ユニット１９０の上流側に、排出前の遊技球を該排出ユニット１９０に誘導する誘導流路装置１９６を配設し、
前記誘導流路装置１９６は、前記誘導流路装置１９６の流路下端部において遊技球の流下を阻止する流下阻止状態と遊技球の流下を許容する流下許容状態とに変換可能な流下制御部材２１０を備えるとともに、上方に移動可能に構成され、
前記排出ユニット１９０を取り外す際に、前記誘導流路装置１９６を上方へ移動すると、その移動に応じて流下制御部材２１０が前記流下許容状態から流下阻止状態へ変換されるとともに、該排出ユニット１９０と誘導流路装置１９６との間に間隙が形成されるように構成しても良い。
【０１５８】
なお、本発明の遊技機は、遊技機として、前記実施の形態に示されるようなパチンコ遊技機に限られるものではなく、例えば、その他のパチンコ遊技機、アレンジボール遊技機、雀球遊技機などの遊技球を使用する全ての遊技機に適用可能である。
【０１５９】
また、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１６０】
【図１】本発明を適用した一実施の形態の構成を示す遊技機の正面図である。
【図２】透明部材保持枠を取り外した状態の遊技機の正面図である。
【図３】透明部材保持枠、遊技盤を取り外した状態の前面枠の前面側から見た斜視図である。
【図４】遊技盤の正面図である。
【図５】遊技盤の背面図である。
【図６】裏機構枠の背面図であって、流下制御部材が流下許容状態となっている状態を示す図である。
【図７】裏機構枠の背面図であって、流下制御部材が流下阻止状態となっている状態を示す図である。
【図８】裏機構枠の背面図であって、誘導流路装置の図示を省略し、流下許容状態にある流下制御部材を示した図である。
【図９】裏機構枠の背面図であって、誘導流路装置の図示を省略し、流下許阻止状態にある流下制御部材を示した図である。
【図１０】裏機構枠の背面側から見た斜視図であって、排出ユニットを回動させた様子を示す図である。
【図１１】裏機構枠の背面側から見た斜視図であって、排出ユニット、カバー部材を取り外した様子を示す図である。
【図１２】誘導流路装置の背面から見た部分断面図であって、流下制御部材が流下許容状態となっている状態を示す図である。
【図１３】誘導流路装置の背面から見た部分断面図であって、流下制御部材が流下阻止状態となっている状態を示す図である。
【図１４】（ａ）流下制御部材の背面側から見た斜視図、（ｂ）流下制御部材の前面側から見た斜視図である。
【図１５】流下制御部材、係止受け部材、ガイド部材の位置関係を説明するための背面図であって、（ａ）流下許容状態、（ｂ）流下許容状態から流下阻止状態に変換する途中、（ｃ）流下阻止状態である。
【符号の説明】
【０１６１】
１        遊技盤
１ａ      第１遊技領域（遊技領域）
１００    遊技機
１２０    前面枠
１６０    裏機構枠
１７０    画像表示装置（表示ユニット）
１８４    流路形成凹部（取付部）
１８８    係止受け部材
１８９    ガイド部材
１９０    排出ユニット
１９０ｅ  移動規制部
１９６    誘導流路装置
２１０    流下制御部材
２１６    係止部材
【図１】
2008093018.tif 000003
【図２】
2008093018.tif 000004
【図３】
2008093018.tif 000005
【図４】
2008093018.tif 000006
【図５】
2008093018.tif 000007
【図６】
2008093018.tif 000008
【図７】
2008093018.tif 000009
【図８】
2008093018.tif 000010
【図９】
2008093018.tif 000011
【図１０】
2008093018.tif 000012
【図１１】
2008093018.tif 000013
【図１２】
2008093018.tif 000014
【図１３】
2008093018.tif 000015
【図１４】
2008093018.tif 000016
【図１５】
2008093018.tif 000017